(57)【要約】【課題】受信可能な複数の放送局が現在放送中のコンテンツに関するコンテンツ情報を表す、最新の電子番組表を生成することが可能な、新規かつ改良されたラジオ放送受信装置を提供する。【解決手段】所定の周波数の放送局から放送信号を受信する受信部と、前記受信部が受信中の放送信号から前記放送局が放送中のコンテンツに関するコンテンツ情報を抽出して記憶部に格納するコンテンツ情報抽出部と、前記受信部が受信する周波数を順次切り替える周波数制御部と、前記記憶部に格納されているコンテンツ情報に基づいて、前記放送局が現在放送中のコンテンツに関するコンテンツ情報を表す電子番組表を生成する電子番組表生成部と、を備えるラジオ放送受信装置である。【選択図】図１
2010011037.tif 000002
【特許請求の範囲】
【請求項１】
所定の周波数の放送局から放送信号を受信する受信部と、
前記受信部が受信中の放送信号から前記放送局が放送中のコンテンツに関するコンテンツ情報を抽出して記憶部に格納するコンテンツ情報抽出部と、
前記受信部が受信する周波数を順次切り替える周波数制御部と、
前記記憶部に格納されているコンテンツ情報に基づいて、前記放送局が現在放送中のコンテンツに関するコンテンツ情報を表す電子番組表を生成する電子番組表生成部と、を備えるラジオ放送受信装置。
【請求項２】
前記受信部は、前記ラジオ放送受信装置のシステムが起動されていない状態においては、前記周波数制御部によって切り替えられた周波数の放送局から順次放送信号を受信し、
前記システムが起動されている状態においては、ユーザから指定された１の放送局から前記放送信号を受信する、請求項１に記載のラジオ放送受信装置。
【請求項３】
前記周波数制御部は、前記システムが起動されていない状態においてのみ、前記受信部が受信する周波数を順次切り替える、請求項２に記載のラジオ放送受信装置。
【請求項４】
前記周波数制御部は、前記コンテンツ情報抽出部が、前記受信部が受信した前記放送信号から前記コンテンツ情報を抽出する毎に、前記受信部が受信する周波数を切り替える、請求項３に記載のラジオ放送受信装置。
【請求項５】
前記受信部は、第１受信部および第２受信部を備え、
前記第１受信部は、前記ラジオ放送受信装置のシステムが起動されている状態においてのみ、ユーザから指定された１の放送局から前記放送信号を受信し、
前記第２受信部は、前記システムの起動状態に関わらず、前記周波数制御部によって切り替えられた周波数の放送局から順次放送信号を受信する、請求項１に記載のラジオ放送受信装置。
【請求項６】
前記周波数制御部は、前記システムの起動状態に関わらず、前記第２受信部が受信する周波数を順次切り替える、請求項５に記載のラジオ放送受信装置。
【請求項７】
前記周波数制御部は、前記コンテンツ情報抽出部が、前記第２受信部が受信した放送信号から前記コンテンツ情報を抽出する毎に、前記第２受信部が受信する周波数を切り替える、請求項６に記載のラジオ放送受信装置。
【請求項８】
前記コンテンツ情報抽出部は、抽出した所定の放送局のコンテンツ情報が、前記記憶部に格納されている同一放送局のコンテンツ情報と同じである場合には、前記抽出したコンテンツ情報を前記記憶部に格納しない、請求項１に記載のラジオ放送受信装置。
【請求項９】
前記コンテンツ情報抽出部は、抽出した所定の放送局のコンテンツ情報が、前記記憶部に格納されている同一放送局のコンテンツ情報と異なる場合には、前記記憶部に格納されている同一放送局のコンテンツ情報を、前記抽出したコンテンツ情報に更新する、請求項８に記載のラジオ放送受信装置。
【請求項１０】
前記コンテンツ情報抽出部は、前記受信部が受信した前記放送信号に含まれるＩＤ３タグ形式のテキスト情報に基づいて、前記コンテンツ情報を抽出する、請求項９に記載のラジオ放送受信装置。
【請求項１１】
前記コンテンツ情報は、少なくともアーティスト名、タイトル、ジャンルに関する情報を含む、請求項１０に記載のラジオ放送受信装置。
【請求項１２】
前記電子番組表生成部により生成された電子番組表を表示する表示部をさらに備える、請求項１１に記載のラジオ放送受信装置。
【請求項１３】
所定の周波数の放送局から放送信号を受信する受信ステップと、
前記受信ステップにより受信中の前記放送信号から前記放送局が放送中のコンテンツに関するコンテンツ情報を抽出して記憶部に格納するコンテンツ抽出ステップと、
前記受信部が受信する周波数を順次切り替える周波数制御ステップと、
前記抽出ステップにより前記記憶部に格納されたコンテンツ情報に基づいて、前記放送局が現在放送中のコンテンツに関するコンテンツ情報を表す電子番組表を生成する電子番組表生成ステップと、
を含む、ラジオ放送受信装置におけるラジオ放送受信方法。
【請求項１４】
前記受信ステップは、前記システムが起動されていない状態においては、前記周波数制御ステップにより切り替えられた周波数の放送局から前記放送信号を順次受信し、前記システムが起動されている状態においては、ユーザから指定された１の放送局から前記放送信号を受信する、請求項１３に記載のラジオ放送受信方法。
【請求項１５】
前記受信部は、第１受信部および第２受信部を備え、
前記受信ステップは、前記システムが起動されていない状態においては、前記第２受信部が、前記周波数制御ステップにより切り替えられた周波数の放送局から前記放送信号を順次受信し、
前記システムが起動されている状態においては、前記第１受信部が、ユーザから指定された１の放送局から前記放送信号を受信する第１受信ステップと、
前記第２受信部が、前記周波数制御ステップにより切り替えられた周波数の放送局から前記放送信号を順次受信する第２受信ステップと、を含む、請求項１３に記載のラジオ放送受信方法。
【発明の詳細な説明】
【技術分野】
【０００１】
本発明は、ラジオ放送受信装置およびラジオ放送受信方法に関する。
【背景技術】
【０００２】
デジタルラジオ放送では、放送局は、音声データに加えて番組情報などを送信することができる。例えば、音楽番組を放送する放送局は、放送中の楽曲のアーティスト名、タイトル、ジャンルなどのテキスト情報を送信することができる。また、ＦＭ放送などで利用される、例えばＲＢＤＳ（Ｒａｄｉｏ  Ｂｒｏａｄｃａｓｔ  Ｄａｔａ  Ｓｙｓｔｅｍ）放送などのアナログ放送においても、音声データと同時にテキスト情報を送信することができる。
【０００３】
一方、ラジオ放送を受信するラジオ放送受信装置は、放送局から送信されるテキスト情報に基づいて、種々の機能を備えることができる。例えば、ラジオ放送受信装置は、テキスト情報に含まれるアーティスト名、タイトル、ジャンルなどの楽曲に関する情報を表示することができる。これにより、ユーザは、現在流れている楽曲の情報を視覚的に認識することができる。また、特許文献１には、過去に放送された楽曲を記憶し、放送頻度などを分析して表示するラジオ放送受信装置が開示されている。これにより、ユーザは、実際に放送を聞いていなくても、過去に放送された頻度の高い楽曲を認識することができる。
【０００４】
【特許文献１】国際公開ＷＯ２００５−０７６５０６号
【発明の開示】
【発明が解決しようとする課題】
【０００５】
しかし、従来のラジオ放送受信装置では、現在受信中の放送局の番組情報のみしか表示することができない。また、特許文献１に記載のラジオ放送受信装置も、過去に放送された楽曲を表示するのみである。すなわち、従来のラジオ放送受信装置は、他の放送局が現在放送中のコンテンツに関する情報をユーザに提供することができない。この結果、ユーザは、実際に受信チャンネルを切り替えなければ、他の放送局が、現在どのような番組や楽曲を放送しているかを認識することができないという問題があった。
【０００６】
そこで、本発明は、上記問題に鑑みてなされたものであり、本発明の目的とするところは、受信可能な複数の放送局が現在放送中のコンテンツに関するコンテンツ情報を表す、最新の電子番組表を生成することが可能な、新規かつ改良されたラジオ放送受信装置およびラジオ放送受信方法を提供することにある。
【課題を解決するための手段】
【０００７】
上記課題を解決するために、本発明のある観点によれば、所定の周波数の放送局から放送信号を受信する受信部と、前記受信部が受信中の放送信号から前記放送局が放送中のコンテンツに関するコンテンツ情報を抽出して記憶部に格納するコンテンツ情報抽出部と、前記受信部が受信する周波数を順次切り替える周波数制御部と、前記記憶部に格納されているコンテンツ情報に基づいて、前記放送局が現在放送中のコンテンツに関するコンテンツ情報を表す電子番組表生成部と、を備えるラジオ放送受信装置が提供される。
【０００８】
係る構成により、ラジオ放送受信装置は、各放送局が放送中のコンテンツに関するコンテンツ情報を抽出して記憶部に格納することができる。また、ラジオ放送受信装置が備える受信部は、周波数制御部により順次切り替えられる周波数の放送局から放送信号を受信することができる。さらに、ラジオ放送受信装置が備える電子番組表生成部は、記憶部に格納されている各放送局のコンテンツ情報に基づいて、各放送局が現在放送中のコンテンツに関するコンテンツ情報からなる電子番組表を生成することができる。
【０００９】
また、前記受信部は、前記ラジオ放送受信装置のシステムが起動されていない状態においては、前記周波数制御部によって切り替えられた周波数の放送局から順次放送信号を受信し、前記システムが起動されている状態においては、ユーザから指定された１の放送局から前記放送信号を受信することもできる。
【００１０】
また、前記周波数制御部は、前記システムが起動されていない状態においてのみ、前記受信部が受信する周波数を順次切り替えることもできる。
【００１１】
また、前記周波数制御部は、前記コンテンツ情報抽出部が、前記受信部が受信した前記放送信号から前記コンテンツ情報を抽出する毎に、前記受信部が受信する周波数を切り替えることもできる。
【００１２】
また、前記受信部は、第１受信部および第２受信部を備え、前記第１受信部は、前記ラジオ放送受信装置のシステムが起動されている状態においてのみ、ユーザから指定された１の放送局から前記放送信号を受信し、前記第２受信部は、前記システムの起動状態に関わらず、前記周波数制御部によって切り替えられた周波数の放送局から順次放送信号を受信することもできる。
【００１３】
また、前記周波数制御部は、前記システムの起動状態に関わらず、前記第２受信部が受信する周波数を順次切り替えることもできる。
【００１４】
また、前記周波数制御部は、前記コンテンツ情報抽出部が、前記第２受信部が受信した放送信号から前記コンテンツ情報を抽出する毎に、前記第２受信部が受信する周波数を切り替えることもできる。
【００１５】
また、前記コンテンツ情報抽出部は、抽出した所定の放送局のコンテンツ情報が、前記記憶部に格納されている同一放送局のコンテンツ情報と同じである場合には、前記抽出したコンテンツ情報を前記記憶部に格納しないこともできる。
【００１６】
また、前記コンテンツ情報抽出部は、抽出した所定の放送局のコンテンツ情報が、前記記憶部に格納されている同一放送局のコンテンツ情報と異なる場合には、前記記憶部に格納されている同一放送局のコンテンツ情報を、前記抽出したコンテンツ情報に更新することもできる。
【００１７】
また、前記コンテンツ情報抽出部は、前記受信部が受信した前記放送信号に含まれるＩＤ３タグ形式のテキスト情報に基づいて、前記コンテンツ情報を抽出することもできる。
【００１８】
また、前記コンテンツ情報は、少なくともアーティスト名、タイトル、ジャンルに関する情報を含むこともできる。
【００１９】
また、前記ラジオ放送受信装置は、前記電子番組表生成部により生成された電子番組表を表示する表示部をさらに備えることもできる。
【発明の効果】
【００２０】
以上説明したように本発明によれば、受信可能な複数の放送局が現在放送中のコンテンツに関するコンテンツ情報を表す、最新の電子番組表を生成することが可能な、新規かつ改良されたラジオ放送受信装置を提供することにある。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、説明は以下の順序で行うものとする。
１．従来のラジオ放送受信装置１０
２．第１実施形態
２−１．ラジオ放送受信装置１００の機能構成
２−２．ＥＰＧ生成フロー
３．第２実施形態
３−１．ラジオ放送受信装置２００の機能構成
３−２．ＥＰＧ生成フロー
【００２２】
（１．従来のラジオ放送受信装置１０）
本発明の実施形態に係るラジオ放送受信装置の特徴を明確にするために、まず、従来のラジオ放送受信装置１０について説明する。図１０は、従来の一般的なラジオ放送受信装置１０の機能構成を示す説明図である。
【００２３】
図１０に示すように従来のラジオ放送受信装置１０は主に、アンテナ１２と、受信部１４と、音声デコード部１６と、アンプ１８と、音声出力部２０と、デジタル信号デコード部２２と、表示部２４と、を含んで構成される。従来のラジオ放送受信装置１０を構成するこれらの各構成部は、バス（図示せず）によって接続され、ＣＰＵ（Ｃｅｎｔｒａｌ  Ｐｒｏｃｅｓｓｉｎｇ  Ｕｎｉｔ）（図示せず）によって制御される。以下、従来のラジオ放送受信装置１０の各構成部について説明する。
【００２４】
アンテナ１２は、複数のラジオ放送局からの放送信号を受信する。アンテナ１２は、ラジオ放送受信装置１０が受信可能な周波数の放送信号を受信することができる。受信部１４は、アンテナ１２で受信した放送信号のうち、所定のラジオ放送局の周波数信号を検出する。受信部１４は、例えば、操作入力部（図示せず）などを介してユーザから指定された周波数の放送信号を検出することができる。また、受信部１４は、例えば、あらかじめユーザにより設定された放送局に対応する周波数の放送信号を検出することもできる。受信部１４により検出された放送信号はその後、音声デコード部１６およびデジタル信号デコード部２２に転送される。
【００２５】
音声信号デコード部１６は、受信部１４から転送された放送信号の中の音声データをデコードする。音声信号デコード部１６によりデコードされた音声データは、その後アンプ１８に転送される。
【００２６】
アンプ１８は、音声デコード部１６によりデコードされた音声データの信号を増幅する。アンプ１８は、例えば、ユーザによる指示、ラジオ放送受信装置１０の自動設定などにより、任意に音声データ信号を増幅することができる。アンプ１８により増幅された音声データは、その後、音声出力部２０を介して音声出力される。
【００２７】
デジタル信号デコード部２２は、受信部１４から転送された放送信号に含まれるテキスト情報をデコードする。例えば、デジタルラジオ放送においては、放送局は、音声データに加えて、放送中のコンテンツの内容に関するコンテンツ情報などをテキスト情報として送信することができる。例えば、音楽番組を放送する放送局は、放送中の楽曲のアーティスト名、タイトル、ジャンルなどのテキスト情報を、楽曲信号に加えて送信することができる。テキスト情報は、例えばＩＤ３タグの形式などで送信される。
【００２８】
図１１は、デジタルラジオ放送の放送局が送信するＩＤ３タグ形式のテキスト情報の一例を示す概念図である。図１１に示すように、ＩＤ３タグは、「アーティスト名」２８、「タイトル」３０、「ジャンル」３２、「コメント」３４の情報を含んで構成される。ＩＤ３タグは通常、放送局が現在放送中のコンテンツを紹介するために生成し、音声信号に加えて送信する。従来のラジオ放送受信装置１０のデジタル信号デコード部２２は、受信部１４が受信した放送信号をデコードすることにより、これらＩＤ３タグに含まれる各種情報を複号することができる。デジタル信号デコード部２２によってデコードされたテキスト情報は、その後、表示部２４に転送される。
【００２９】
表示部２４は、デジタル信号デコード部２２から転送されたテキスト情報を表示する表示装置であり、例えばＣＲＴ（Ｃａｔｈｏｄｅ  Ｒａｙ  Ｔｕｂｅ）、液晶表示装置、有機ＥＬ（Ｅｌｅｃｔｒｏ  Ｌｕｍｉｎｅｓｃｅｎｃｅ）表示装置などである。表示部２４は、デジタル信号デコード部２２によってデコードされたコンテンツ情報、例えば、アーティスト名、タイトル、ジャンルなどを表示することができる。これによりユーザは、表示部２４に表示されたコンテンツ情報により、現在受信部１４が受信している放送局が放送中のコンテンツ情報を視覚的に認識することができる。
【００３０】
図１２は、表示部２４の表示例を示す説明図である。図１２に示すように、表示部２４には、現在ラジオ放送受信装置１０が受信中の楽曲に関する情報が表示されている。上述したように、デジタル信号デコード部２２は、放送局から送信された放送信号をデコードすることにより、ＩＤ３タグに含まれるコンテンツ情報を復号することができる。これにより、表示部２４は、放送局が放送中のコンテンツ情報を表示することができる。図１２に示す例では、表示部２４には、局名「チャンネル１」と、アーティスト名「宇多谷ヒカル」と、タイトル「Ｐｒｉｓｏｎｅｒ  Ｏｎ  Ｌｏｖｅ」と、ジャンル「Ｊ−ＰＯＰ」と、コメント「ｗｅｌｃｏｍｅ  ｔｏ  Ｃｈａｎｎｅｌ１」と、が表示されている。これによりユーザは、現在ラジオ放送受信装置１０が受信している放送局「チャンネル１」が放送中のコンテンツに関する情報を視覚的に認識することができる。
【００３１】
しかしながら、上記のように構成された従来のラジオ放送受信装置１０は、現在受信中のコンテンツ情報のみを表示することしかできない。すなわち、他の放送局のコンテンツ情報を表示するには、チューナー部１４が他の放送局に対応する周波数の放送信号を検出し、デジタル信号デコード部２２が、当該放送信号からコンテンツ情報を複号する必要がある。したがって、ユーザは、現在聴取中の放送局を一度他の放送局に切り替えなければ、他の放送局が放送中のコンテンツ情報を認識することができない。図１２で示した例で説明すると、ユーザは、「チャンネル１」からチャンネルを変更しなければ、他のチャンネル（放送局）で現在どのようなコンテンツが放送されているかを認識することができない。
【００３２】
本発明は、このような従来のラジオ放送受信装置１０の問題点を解決するものであり、以下に本発明の各実施形態に係るラジオ放送受信装置について説明する。
【００３３】
（２．第１実施形態）
上記従来のラジオ放送受信装置１０は、現在受信中の放送局のコンテンツ情報のみしか表示することができない。これに対し、本発明の第１実施形態に係るラジオ放送受信装置１００は、電源が起動していない状態（以下システムＯＦＦという）において、複数の放送局からの放送信号を受信し、当該放送信号に加えられたテキスト情報からコンテンツ情報を抽出する。このようにして抽出された各放送局からのコンテンツ情報を記憶・管理することにより、各放送局が現在放送中のコンテンツに関するコンテンツ情報を示す電子番組表（以下ＥＰＧ（Ｅｌｅｃｔｒｏｎｉｃ  Ｐｒｏｇｒａｍ  Ｇｕｉｄｅ）という）を生成する。これにより、第１実施形態に係るラジオ放送受信装置１００は、現在ラジオ放送受信装置１００が受信可能な複数の放送局のコンテンツ情報を表すＥＰＧを表示することができる。以下、このような特徴を有する第１実施形態に係るラジオ放送受信装置１００について説明する。
（２−１．ラジオ放送受信装置１００の機能構成）
まず、本発明の第１実施形態に係るラジオ放送受信装置１００の機能構成について説明する。図１は、第１実施形態に係るラジオ放送受信装置１００の機能構成を示す機能ブロック図である。
【００３４】
図１に示すように、ラジオ放送受信装置１００は主に、受信部１０２と、音声デコード部１６と、アンプ１８と、音声出力部２０と、デジタル信号デコード部１０４と、表示部１０６と、コントロール部１１６と、を含んで構成される。以下、第１実施形態に係るラジオ放送受信装置１００の各構成部について説明する。なお、アンテナ１０、音声デコード部１６、アンプ１８および音声出力部２０は、上述した従来のラジオ放送受信装置１０と同様であるため、詳細な説明は省略し、本実施形態の特徴的部分であるコントロール部を中心に説明する。
【００３５】
図１に示すように、コントロール部１１６は主に、周波数制御部１０８と、コンテンツ情報抽出部１１０と、記憶部１１２と、ＥＰＧ生成部１１４と、を含んで構成される。
【００３６】
周波数制御部１０８は、アンテナ１２が受信した各放送局の放送信号の中から受信部１０２が検出する周波数を周期的に切り替える。前述したように、第１実施形態に係るラジオ放送受信装置１００は、システムＯＦＦの状態で各放送局のコンテンツ情報を収集し、ＥＰＧを生成することを特徴とする。したがって、周波数制御部１０８は、システムＯＦＦの場合にのみ、受信部１０２がアンテナ１２を介して受信する周波数を周期的に切り替える。これにより、受信部１０２は、システムＯＦＦの状態においては、周波数制御部１０８によって周期的に切り替えられる周波数の放送信号を、アンテナ１２を介して受信することができる。また、受信部１０２によって受信した放送信号はその後、デジタル信号デコード部１０４に転送される。これにより、ラジオ放送受信装置１００は、上述した従来のラジオ放送受信装置１０と同様に、受信部１０２が受信した放送信号からコンテンツ情報を取得することができる。
【００３７】
コンテンツ情報抽出部１１０は、デジタル信号デコード部１０４によって復号されたコンテンツ情報から、ＥＰＧの生成に必要な情報を抽出し、記憶部１１２に格納する。前述したように、各放送局からは、放送中のコンテンツの内容に関する情報を含むＩＤ３タグ形式のテキスト情報が送信される。例えば、放送局が楽曲を放送している場合、コンテンツ情報抽出部１１０は、図１２に示したＩＤ３タグ形式のテキスト情報から、「アーティスト名」、「タイトル」、「ジャンル」、「コメント」を抽出することができる。なお、コンテンツ情報抽出部１１０が抽出する情報は、これに限定されるものではなく任意に変更・編集することができる。すなわち、「アーティスト名」と「タイトル」のみを抽出することも可能であり、放送局が図１２に示した例以外の情報を添付した場合には、図１２に示した情報以外のコンテンツ情報を抽出することも可能である。
【００３８】
上述したように、ラジオ放送受信装置１００がシステムＯＦＦの場合に、周波数制御部１０８によって、受信部１０２が検出する周波数が周期的に切り替えられる。したがって、受信部１０２は、異なる周波数に対応する放送局からテキスト情報を周期的に受信することとなる。つまり、コンテンツ情報抽出部１１０は、受信部１０２が受信する、異なる放送局からのテキスト情報に基づいて、複数の放送局のコンテンツ情報を順次抽出することができる。すなわち、コンテンツ情報抽出部１１０は、ラジオ放送受信装置１００がシステムＯＦＦの状態において、周期的に各放送局が送信するテキスト情報からコンテンツ情報を抽出し、記憶部１１２に格納することができる。
【００３９】
記憶部１１２は、コンテンツ情報抽出部１１２が抽出したコンテンツ情報を記憶するメモリである。上述したように、コンテンツ情報抽出部１１２は、受信部１０２がアンテナ１２を介して受信する各放送局のテキスト情報からコンテンツ情報を抽出し、順次記憶部１１２に格納していく。したがって、ラジオ放送受信装置１００がシステムＯＦＦの場合に、記憶部１１２には、ラジオ放送受信装置１００が受信可能な複数の放送局が現在放送中のコンテンツに関するコンテンツ情報が記憶されることとなる。
【００４０】
ＥＰＧ生成部１１４は、記憶部１１２に記憶されているコンテンツ情報に基づいて、ＥＰＧを生成する、電子番組表生成部である。上述したように、記憶部１１２には、現在ラジオ放送受信装置１００が受信可能な各放送局が放送中のコンテンツに関するコンテンツ情報が記憶されている。したがって、ＥＰＧ生成部１１４は、これらのコンテンツ情報に基づいて、現在ラジオ放送受信装置１００が受信することができるコンテンツの内容を表すＥＰＧを生成する。上述したように、ラジオ放送受信装置１００がシステムＯＦＦの状態では、コンテンツ情報抽出部１１０は周期的に各放送局のコンテンツ情報を抽出し、記憶部１１２に格納している。したがって、ＥＰＧ生成部１１４は、記憶部１１２に記憶されているコンテンツ情報が更新されるたびに、最新のＥＰＧを生成する。これにより、ユーザが、例えば操作入力部を介して、ラジオ放送受信装置１００の電源を起動させた場合（以下システムＯＮという）、表示部１０６は、ＥＰＧ生成部１１４によって生成された最新のＥＰＧを表示することができる。
【００４１】
図２は、ラジオ放送受信装置１００のシステムＯＮ時に、表示部１０６が、ＥＰＧ生成部１１４によって生成された最新のＥＰＧを表示する例を示す説明図である。
【００４２】
図２に示すように、表示部１０６は、現在受信部１０２がアンテナ１２を介して受信している周波数の放送局のコンテンツ情報を、選局中情報表示欄１１８に表示する。図２に示す例では、現在ユーザが聴取中の放送局「チャンネル１」、楽曲のアーティスト名「宇多谷ヒカル」、タイトル「Ｐｒｉｓｏｎｅｒ  Ｏｎ  Ｌｏｖｅ」、ジャンル「Ｊ−ＰＯＰ」、コメント「Ｗｅｌｃｏｍ  ｔｏ  Ｃｈａｎｎｅｌ１」が表示されている。これにより、ユーザは、現在聴取している楽曲に関する情報を視覚的に認識することができる。
【００４３】
第１実施形態に係るラジオ放送受信装置１００の表示部１０６はさらに、ＥＰＧ生成部１１４によって生成された最新のＥＰＧを、他局情報表示欄１２０に表示する。図２に示す例では、他局情報表示欄１２０には、現在ラジオ放送受信装置１００が受信可能な放送局「チャンネル２〜６」が放送中のコンテンツに関するコンテンツ情報が表示されている。これにより、ユーザは、現在聴取しているコンテンツの情報のみならず、現在選局可能な他の放送局のコンテンツ情報も視覚的に認識することができる。また、ユーザは、表示部１０６に表示されたＥＰＧに基づいて任意の放送局を選択することにより、希望するコンテンツを聴取することができる。
【００４４】
（２−２．ＥＰＧの生成フロー）
次に、第１実施形態に係るラジオ放送受信装置１００が、各放送局から送信されたテキスト情報に基づいてＥＰＧを生成する流れについて図３を参照にして説明する。図３は、第１実施形態に係るラジオ放送受信装置１００が、各放送局から送信されたテキスト情報に基づいてＥＰＧを生成する流れを示すフロー図である。なお、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００４５】
図３に示すように、ラジオ放送受信装置１００は、ステップ１５０において、ラジオ放送受信装置１００の電源が投入されているか否かを判断する。上述したように、第１実施形態に係るラジオ放送受信装置１００は、システムＯＦＦの状態においてＥＰＧを生成するからである。
【００４６】
ステップ１５０において、システムＯＦＦの場合には、ステップ１５２において、受信部１０２は、周波数制御部１０８によって指定された周波数の放送信号を、アンテナ１２を介して受信する。その後、受信された放送信号に含まれるテキスト情報は、デジタル信号デコード部１０４によって復号される。コンテンツ情報抽出部１１０は、ステップ１５４において、当該復号されたテキスト情報からＥＰＧの生成に必要なコンテンツ情報を抽出する。
【００４７】
次に、コンテンツ情報抽出部１１０は、ステップ１５６において、抽出したコンテンツ情報と同一の放送局のコンテンツ情報が、既に記憶部１１２に記憶されているか否かを判断する。コンテンツ情報抽出部１１０は、記憶部１１２に同一放送局のコンテンツ情報が記憶されていないと判断した場合には、ステップ１５８において、抽出したコンテンツ情報を記憶部１１２に格納する。図４は、コンテンツ情報が記憶されている記憶部１１２を示す概念図である。図４に示すように、記憶部１１２には、受信部１０２が受信した放送局毎に、コンテンツ情報抽出部１１０が抽出したコンテンツ情報が記憶されている。図４に示す例では、記憶部１１２には、３つの放送局「チャンネル１〜３」のコンテンツ情報が格納されている。ここで、ステップ１５４においてコンテンツ情報抽出部１１０が抽出したコンテンツ情報が、例えば、放送局「チャンネル４」のコンテンツ情報であった場合には、ステップ１５８において、図５に示すように、「チャンネル４」のコンテンツ情報を記憶部１１２に格納する。これにより、コンテンツ情報抽出部１１０は、例えば新しい放送局が追加された場合や、ラジオ放送受信装置１００が別の地域に移動された場合などにも、現在ラジオ放送受信装置１００が受信可能な放送局のコンテンツ情報を抽出して、記憶部１１２に格納することができる。
【００４８】
一方コンテンツ情報抽出部１１０は、記憶部１１２に同一放送局のコンテンツ情報が記憶されていると判断した場合、ステップ１６０において、抽出したコンテンツ情報が、記憶部１１２に記憶されている同一放送局のコンテンツ情報と異なるか否かを判断する。放送局は、例えば同一楽曲を放送中には、同一のテキスト情報を送信する。したがって、コンテンツ情報抽出部１１０が抽出したコンテンツ情報が既に記憶部１１２に記憶されている場合には、コンテンツ情報抽出部１１０は、抽出したコンテンツ情報を記憶部１１２に格納することなくステップ１６４へ進む。一方、コンテンツ情報抽出部１１０が抽出したコンテンツ情報が、記憶部１１２に記憶されている同一放送局のコンテンツ情報と異なる場合には、コンテンツ情報抽出部１１０は、記憶部１１２に記憶されている同一放送局のコンテンツ情報を、新しく抽出したコンテンツ情報に更新する。図６は、コンテンツ情報抽出部１１０によってコンテンツ情報が更新された場合の記憶部１１２の概念図である。図４に示した記憶部１１２には、「チャンネル２」のコンテンツ情報として、アーティスト名「ジャロ」、タイトル「山雪」、ジャンル「演歌」などの情報が記憶されている。ここで、コンテンツ情報抽出部１１０は、同一放送局の「チャンネル２」から異なるコンテンツ情報を抽出すると、図６に示すように、「チャンネル２」のコンテンツ情報を更新する。すなわち、図６に示す例では、「チャンネル２」のコンテンツ情報は、アーティスト名が「水川きよし」に、タイトルが「ズンドコ音頭」に更新されていることがわかる。これは、放送局「チャンネル２」が、放送中の楽曲を、アーティスト名「ジャロ」のタイトル「山雪」から、アーティスト名「水川きよし」のタイトル「ズンドコ音頭」に切り替えたことを意味する。このように、記憶部１１２には、各放送局が現在放送中のコンテンツに関するコンテンツ情報が記憶される。
【００４９】
次に、ステップ１６４において、周波数制御部１０８は、受信部１０２がアンテナ１２を介して受信する放送局の周波数を切り替える。周波数制御部１０８は、例えば、あらかじめ設定された複数の放送局の周波数を順次切り替えることができ、または、現在ラジオ放送受信装置１００が受信可能な放送局の周波数を自動で検出し、当該検出された周波数を順次切り替えることもできる。
【００５０】
その後、ラジオ放送受信装置１００は、システムＯＮの状態になるまで、ステップ１５２〜ステップ１６４を繰り返し実行する。これにより、ラジオ放送受信装置１００は、システムＯＦＦの状態において、常に受信可能な各放送局のコンテンツ情報を抽出・管理することができる。
【００５１】
その後、ステップ１５０において、ユーザによりラジオ放送受信装置１００の電源が投入された場合、ラジオ放送受信装置１００は、ステップ１６６に進む。
【００５２】
まず、ステップ１６６において、受信部１０２は、アンテナ１２を介して所定の周波数の放送信号を受信する。このとき受信部１０２は、例えばユーザが指定した周波数の放送信号を受信することができ、または、ユーザが指定した放送局に対応する周波数の放送信号を受信することもできる。
【００５３】
次にステップ１６８において、ラジオ放送受信装置１００は、音声デコード部１４、アンプ１６および音声出力部１８を介して、放送信号を音声出力する。これにより、ユーザは、指定した放送局が提供中のコンテンツを聴くことができる。さらに、ステップ１７０において、表示部１０６は、現在ユーザが聴いているコンテンツのコンテンツ情報を表示する。これにより、ユーザは、現在聴いているコンテンツのコンテンツ情報、例えば、アーティスト名、タイトル、ジャンルなどを視覚的に認識することができる。
【００５４】
さらに、ステップ１７２において、表示部１０６は、記憶部１１２に記憶されているコンテンツ情報に基づいてＥＰＧ生成部１１４が生成したＥＰＧを表示する。これにより、ユーザは、現在聴いているコンテンツのコンテンツ情報のみならず、他の放送局が現在放送しているコンテンツのコンテンツ情報を視覚的に認識することができる。
【００５５】
その後、ラジオ放送受信装置１００は、システムＯＦＦの状態になると、再度ステップ１５２〜ステップ１６４により記憶部１１２のコンテンツ情報を周期的に更新し、最新のＥＰＧ情報を生成する。
【００５６】
このように、第１実施形態に係るラジオ放送受信装置１００は、ラジオ放送受信装置１００がシステムＯＦＦの場合に、受信部１０２がアンテナ１２を介して受信する周波数を、周波数制御部１０８により順次切り替えることができる。これにより、ラジオ放送受信装置１００は、各放送局から送信されるテキスト情報に基づいて、現在各放送局が放送中のコンテンツに関するコンテンツ情報を抽出することができる。また、ラジオ放送受信装置１００は、抽出した各放送局のコンテンツ情報を記憶部１１２に格納することにより、現在ラジオ放送受信装置１００が受信可能な複数の放送局が放送中のコンテンツを表すＥＰＧを生成することができる。さらにラジオ放送受信装置１００は、システムＯＮの状態になると、現在受信部１０２がアンテナ１２を介して受信中の放送局のコンテンツ情報のみならず、記憶部１１２に記憶されている他の放送局のコンテンツ情報に基づいて生成されたＥＰＧを表示することができる。この結果、ユーザは、現在聴いているチャンネルを変更することなく、他の放送局が現在放送中のコンテンツ情報を認識することができる。すなわち、本実施形態に係るラジオ放送受信装置１００は、受信可能な複数の放送局が現在放送中のコンテンツに関するコンテンツ情報を表す、最新の電子番組表を生成することが可能である。
【００５７】
（３．第２実施形態）
上記第１実施形態に係るラジオ放送受信装置１００は、システムＯＦＦの状態において、各放送局のコンテンツ情報を抽出し、ＥＰＧを生成する。したがって、ユーザが、操作入力部を介してラジオ放送受信装置１００のシステムＯＮを要求すると、システムＯＮ要求時に各放送局が放送中のコンテンツ情報をＥＰＧとして見ることができる。しかしながら、システムＯＮの要求から時間が経過すると、他の放送局ではシステムＯＮの要求時とは異なる内容のコンテンツが放送されることとなる。この場合、第１実施形態に係るラジオ放送受信装置１００は、受信部１０２がアンテナ１２を介して現在ユーザが聞いている放送局の周波数のみを検出しているため、他の放送局のコンテンツ情報を獲得することができない。この結果、第１実施形態に係るラジオ放送受信装置１００は、システムＯＮの要求時は各放送局の最新のＥＰＧを表示することができるが、システムＯＮから一定時間が経過すると最新のＥＰＧを表示することができなくなってしまう。この点を解消する第２実施形態に係るラジオ放送受信装置について以下説明する。
【００５８】
第２実施形態に係るラジオ放送受信装置２００は、システムＯＮの状態においても、他の放送局の最新のコンテンツ情報を抽出することを特徴とする。すなわち、ユーザが特定の放送局のコンテンツを聞いている場合でも、第２実施形態に係るラジオ放送受信装置２００は、他の放送局のコンテンツ情報を順次抽出し、最新のＥＰＧを生成して表示することができる。以下に、第２実施形態に係るラジオ放送受信装置２００の機能構成について説明する。
【００５９】
（３−１．ラジオ放送受信装置２００の機能構成）
まず、本発明の第２実施形態に係るラジオ放送受信装置２００の機能構成について説明する。図７は、第２実施形態に係るラジオ放送受信装置２００の機能構成を示す機能ブロック図である。
【００６０】
図７に示すように、ラジオ放送受信装置２００は主に、アンテナ１２と、第１受信部２０２と、音声デコード部１６と、アンプ１８と、音声出力部２０と、第１デジタル信号デコード部２０４と、表示部２０６と、第２受信部２０８と、第２デジタル信号デコード部２１０と、コントロール部２１２と、を含んで構成される。以下、第２実施形態に係るラジオ放送受信装置２００の各構成部について説明する。なお、アンテナ１２、音声デコード部１６、アンプ１８および音声出力部２０は、上述した従来のラジオ放送受信装置１０と同様であるため、詳細な説明は省略する。
【００６１】
第２ラジオ放送受信装置２００は、上記の第１実施形態に係るラジオ放送受信装置１００と比較して、第２受信部２０８および第２デジタル信号デコード部２１０をさらに備えている。第２実施形態に係るラジオ放送受信装置２００は、第２受信部２０８および第２デジタル信号デコード部２１０を備えることにより、システムＯＮの状態においても、各放送局のコンテンツ情報を抽出することができる。
【００６２】
第２受信部２０８は、ラジオ放送受信装置２００のシステムの起動状態に関わらず、アンテナ１２を介して、周期的に各放送局の周波数の放送信号を検出する。すなわち、ラジオ放送受信装置２００がシステムＯＦＦの状態においては、上記第１実施形態にかかるラジオ放送受信装置１００の受信部１０２と同様に、周波数制御部２１４に指定された周波数の放送局から送信される放送信号を検出する。その後、検出した放送信号は第２デジタル信号デコード部２１０に転送され、例えばＩＤ３タグ形式などのテキスト情報が復号される。さらに、上記第１実施形態に係るラジオ放送受信装置１００と同様に、コントロール部２１２によって、コンテンツ情報が抽出・格納され、ＥＰＧが生成される。これにより、ラジオ放送受信装置２００は、ユーザからシステムＯＮの要求があった場合に、各放送局の最新のコンテンツ情報に基づいて生成されたＥＰＧを表示することができる。
【００６３】
さらに第２実施形態に係るラジオ放送受信装置２００は、２つの受信部、すなわち第１受信部２０２および第２受信部２０８を備えていることを特徴としている。これによりラジオ放送受信装置２００は、ユーザが、操作入力部を介してラジオ放送受信装置２００のシステムＯＮを要求した場合には、第１受信部２０２が、ユーザにより指定された周波数の放送信号を検出する。さらに、従来のラジオ放送受信装置１０と同様に、音声デコード部１６、アンプ１８および音声出力部２０を介してコンテンツを音声出力する。ラジオ放送受信装置２００はまた、第１デジタル信号デコード部２０４により復号されたテキスト情報に基づいて、現在音声出力中のコンテンツに関するコンテンツ情報を表示部２０６に表示する。これにより、ユーザは指定した放送局のコンテンツを聞くことができるとともに、現在聞いているコンテンツの情報を表示部２０６に表示されたコンテンツ情報により視覚的に認識することができる。
【００６４】
さらに第２受信部２０８は、ラジオ放送受信装置２００がシステムＯＮの状態においても、周期的に他の放送局の放送信号を、アンテナ１２を介して検出する。また、第２受信部２０８が受信した他の放送局の放送信号は、前述したように、第２デジタル信号デコード部２１０およびコントロール部２１２によって、コンテンツ情報が抽出・格納され、最新のＥＰＧが生成される。すなわち、第１受信部２０２は、ユーザが指定した放送局の放送信号を検出し、同時に、第２受信部２０８は、他の放送局の放送信号を順次検出する。したがたって、ラジオ放送受信装置２００は、ユーザが特定の放送局のコンテンツを聴いている場合においても、他の放送局のコンテンツ情報を抽出して、最新のＥＰＧを生成することができる。
【００６５】
例えば、図２に示した例では、ユーザは現在放送局「チャンネル１」のコンテンツを聴いており、表示部２０６には、他の放送局のコンテンツ情報に基づいて生成されたＥＰＧが表示されている。この場合において、一定時間が経過し、他の放送局で放送中のコンテンツが変わると、表示部２０６に表示されるＥＰＧも更新されることとなる。図８は、ユーザが放送局「チャンネル１」を聴いている最中にＥＰＧが更新された場合の表示部２０６の表示例を示す説明図である。
【００６６】
図２に示すＥＰＧでは、放送局「チャンネル３」は、アーティスト名「コフクロ」の楽曲を放送していたが、図８に示す例では、アーティスト名「ＴＵＮ−ＫＡＴ」の楽曲を放送していることがわかる。また、同様に放送局「チャンネル５」は、図２に示すＥＰＧでは、アーティスト名「Ｃ‘ｚ」の楽曲を放送し、コメント「Ｃ’ｚゲスト出演予定」が表示されていたが、図８に示す例では、コメントが「Ｃ‘ｚ出演中」に更新されていることがわかる。これにより、ユーザは、放送局「チャンネル１」を聴きながら、他の放送局で現在放送中のコンテンツ情報を認識することができる。この結果ユーザは、チャンネルを変更することなく、他の放送局で現在どのようなコンテンツが放送されているかを視覚的に認識することができる。すなわち、第２実施形態に係るラジオ放送受信装置２００は、システムの起動状態に関わらず、受信可能な放送局が現在放送中のコンテンツに関するコンテンツ情報を抽出することにより、最新のＥＰＧを生成してユーザに提供することが可能である。
【００６７】
（３−２．ＥＰＧの生成フロー）
次に、第２実施形態に係るラジオ放送受信装置２００が、各放送局から送信されるテキスト情報に基づいてＥＰＧを生成する流れについて図９を参照にして説明する。図９は、第２実施形態に係るラジオ放送受信装置２００が、各放送局から送信されるテキスト情報に基づいてＥＰＧを生成する流れを示すフロー図である。
【００６８】
図９に示すように、ラジオ放送受信装置２００は、ステップ２５０において、ラジオ放送受信装置２００がシステムＯＮの状態か否かを判断する。上述したように、第１受信部２０２は、ラジオ放送受信装置２００がシステムＯＮの状態においてのみ、ユーザの指定した放送局の周波数の放送信号を受信するからである。
【００６９】
ステップ２５０において、システムＯＮでない場合には、ステップ２５２において、第２受信部２０８は、周波数制御部２１４によって指定された周波数の放送信号を、アンテナ１２を介して受信する。その後、受信された放送信号に含まれるテキスト情報は、第２デジタル信号デコード部２１４によって復号される。コンテンツ情報抽出部２１６は、ステップ２５４において、当該復号されたテキスト情報からＥＰＧの生成に必要なコンテンツ情報を抽出する。
【００７０】
次に、コンテンツ情報抽出部２１６は、上述した第１実施形態に係るラジオ放送受信装置１００と同様に、ステップ２５６〜ステップ２６２において、記憶部２１８に各放送局の最新のコンテンツ情報を格納する。
【００７１】
次に、ステップ２６４において、周波数制御部２１４は、第２受信部２０８が、アンテナ１２を介して受信する放送局の周波数を切り替える。周波数制御部２１４は、例えば、あらかじめ設定された複数の放送局の周波数を順次切り替えることができ、または、現在ラジオ放送受信装置２００が受信可能な放送局の周波数を自動で検出し、当該検出された周波数を順次切り替えることもできる。
【００７２】
その後、ラジオ放送受信装置２００は、システムＯＮになるまでは、ステップ２５２〜ステップ２６４を繰り返し実行する。これにより、ラジオ放送受信装置２００は、システムＯＦＦの状態において、常に受信可能な各放送局のコンテンツ情報を抽出・管理することができる。
【００７３】
その後、ステップ２５０において、ユーザが操作入力部を介して、ラジオ放送受信装置２００のシステムＯＮを要求した場合、ステップ２６６に進む。
【００７４】
まず、ステップ２６６において、第１受信部２０２は、アンテナ１２を介して所定の周波数の放送信号を受信する。このとき第１受信部２０２は、例えばユーザが指定した周波数の放送信号を受信することができ、または、ユーザが指定した放送局に対応する周波数の放送信号を受信することもできる。
【００７５】
次にステップ２６８において、ラジオ放送受信装置２００は、音声デコード部１４、アンプ１６および音声出力部１８を介して、第１受信部２０２が受信中の放送局のコンテンツを音声出力する。これにより、ユーザは、指定した放送局が提供中のコンテンツを聴くことができる。さらに、ステップ２７０において、表示部２０６は、現在ユーザが聴いているコンテンツのコンテンツ情報を表示する。これにより、ユーザは、現在聴いているコンテンツのコンテンツ情報、例えば、アーティスト名、タイトル、ジャンルなどを視覚的に認識することができる。
【００７６】
さらに、ステップ２７２において、表示部２０６は、記憶部２１８に記憶されているコンテンツ情報に基づいて生成されたＥＰＧを表示する。これにより、ユーザは、現在聴いているコンテンツのコンテンツ情報のみならず、他の放送局が現在放送しているコンテンツのコンテンツ情報を視覚的に認識することができる。
【００７７】
さらに、第２実施形態に係るラジオ放送受信装置２００は、システムＯＮの状態、すなわち、ユーザが特定の放送局のコンテンツを聴いている場合においても、ステップ２５２〜ステップ２６４により他の放送局の最新のコンテンツ情報を抽出・管理する。したがって、システムＯＮの場合にも、記憶部２１８に格納されているコンテンツ情報は常に最新のコンテンツ情報であるため、ステップ２７２において、表示部２０６には、最新のＥＰＧが表示されることとなる。
【００７８】
このように、第２実施形態に係るラジオ放送受信装置２００は、ラジオ放送受信装置のシステムの起動状態に関わらず、第２受信部２０８がアンテナ１２を介して受信する周波数を、周波数制御部２１４が順次切り替えることができる。これにより、ラジオ放送受信装置２００は、システムの起動状態に関わらず、各放送局から送信されるテキスト情報に基づいて、現在各放送局が放送中のコンテンツに関するコンテンツ情報を抽出することができる。また、ラジオ放送受信装置２００は、抽出した各放送局のコンテンツ情報を記憶部２１８に格納することにより、システムの起動状態に関わらず、現在ラジオ放送受信装置２００が受信可能な複数の放送局のＥＰＧを生成することができる。さらにラジオ放送受信装置２００は、システムＯＮの状態において、第１受信部２０２がアンテナ１２を介して受信中の放送局のコンテンツ情報のみならず、記憶部２１８に記憶されている他の放送局のコンテンツ情報に基づいて生成されたＥＰＧも表示することができる。この結果、ユーザは、現在聴いているチャンネルを変更することなく、他の放送局が現在放送中のコンテンツに関する情報を認識することができる。すなわち、本実施形態に係るラジオ放送受信装置１００は、システムの起動状態に関わらず、受信可能な複数の放送局が現在放送中のコンテンツに関するコンテンツ情報を表す、最新の電子番組表を生成することが可能である。
【００７９】
なお、図９では、説明の便宜上、システムＯＮ時において第１受信部２０２を介して行われるステップ２６６〜２７２の処理と、第２受信部２０８を介して行われるステップ２５２〜２６４の処理とを時系列に説明したが、これに限定されるものではない。すなわち、第２受信部２０８を介して行われるステップ２５２〜２６４の処理は、第１受信部２０２を介して行われるステップ２６６〜２７２の処理と独立して行われるものであり、これらの処理を平行して行うことが当然に可能である。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８１】
例えば、上記実施形態では、デジタル放送を提供するデジタル放送局から送信されるテキスト情報に基づいてＥＰＧを生成する例について説明したが、本発明はかかる例に限定されない。例えば、ＲＢＤＳ放送などのアナログ放送において、放送信号と同時に送信されるテキスト情報に基づいてＥＰＧを生成することも可能である。
【００８２】
また、各図面で示したコンテンツ情報は、上記実施形態を説明する上での一例であり、これに限定されるものではない。例えば、放送局が送信するテキスト情報は放送局が任意に設定することができるものであり、アーティスト名、タイトル、ジャンルなどに限定されるものではない。すなわち、本発明に係るラジオ放送受信装置は、放送局が設定したテキスト情報に基づいて、種々のコンテンツ情報を表すＥＰＧを生成・表示することが可能である。
【００８３】
また、上記実施形態では、生成したＥＰＧをシステムＯＮの状態で表示部に表示する例について説明したが、本発明はこれに限定されるものではない。例えば、システムＯＦＦの状態においても、表示部に最新のＥＰＧを表示し、ユーザに対して、ラジオ放送受信装置のシステムＯＮを促すことも可能である。
【図面の簡単な説明】
【００８４】
【図１】本発明の第１実施形態に係るラジオ放送受信装置１００の機能構成を示す機能ブロック図である。
【図２】第１実施形態に係るラジオ放送受信装置１００のＥＰＧの表示例を示す説明図である。
【図３】第１実施形態に係るラジオ放送受信装置１００のＥＰＧ生成の流れを示すフロー図である。
【図４】第１実施形態に係るラジオ放送受信装置１００において、コンテンツ情報が記憶された記憶部１１２の概念図である。
【図５】第１実施形態に係るラジオ放送受信装置１００において、コンテンツ情報が追加された記憶部１１２の概念図である。
【図６】第１実施形態に係るラジオ放送受信装置１００において、コンテンツ情報が更新された記憶部１１２の概念図である。
【図７】本発明の第２実施形態に係るラジオ放送受信装置２００の機能構成を示す機能ブロック図である。
【図８】第２実施形態に係るラジオ放送受信装置２００のＥＰＧの表示例を示す説明図である。
【図９】第２実施形態に係るラジオ放送受信装置２００のＥＰＧ生成の流れを示すフロー図である。
【図１０】従来の一般的なラジオ放送受信装置１０の機能構成を示す機能ブロック図である。
【図１１】ＩＤ３タグ形式のテキスト情報の概念図である。
【図１２】従来の一般的なラジオ放送受信装置１０のコンテンツ情報の表示例を示す説明図である。
【符号の説明】
【００８５】
１００、２００    ラジオ放送受信装置
１０２    受信部
１０４    デジタル信号デコード部
１０６、２０６    表示部
１０８    周波数制御部
１１０    コンテンツ情報抽出部
１１２    記憶部
１１４    ＥＰＧ生成部
１１６    コントロール部
２０２    第１受信部
２０４    第１デジタル信号デコード部
２０８    第２受信部
２１０    第２デジタル信号デコード部
【図１】
2010011037.tif 000003
【図２】
2010011037.tif 000004
【図３】
2010011037.tif 000005
【図４】
2010011037.tif 000006
【図５】
2010011037.tif 000007
【図６】
2010011037.tif 000008
【図７】
2010011037.tif 000009
【図８】
2010011037.tif 000010
【図９】
2010011037.tif 000011
【図１０】
2010011037.tif 000012
【図１１】
2010011037.tif 000013
【図１２】
2010011037.tif 000014